(57)【特許請求の範囲】
【請求項１】
インキ等の液体が充填される塗布具本体内に弁が内蔵され、塗布具本体の先端部に保持されたペン先を押し込むことにより、前記弁を開放して塗布具本体内の液体を流出させるように構成され、しかも、ペン先と塗布具本体との間には、液体の流出を安定させると共に液体の漏れを防止するための液体吸蔵体が設けられた塗布具において、
前記弁は弁本体と弁座を有し、弁座には弁孔の外側にインキが流入して溜まる空間を有し、前記塗布具本体は先栓を有し、前記先栓は先端に貫通孔が設けられ、該貫通孔には前記ペン先が出退できるように挿通され、先栓の内周面には断面積が０．２〜２ｍｍ2の溝がペン先に沿って形成され、その溝の一端は、前記インキが溜まる弁座内部に開口し、且つ、他端は先栓の貫通孔に開口し、前記溝によって塗布具本体の内外に連通する空気流通路が形成されていることを特徴とする塗布具。
【発明の詳細な説明】
【０００１】
【発明の属する技術分野】
本発明は、ペン先を押し込むことにより、塗布すべくインキ等の液体が流出可能な塗布具に関するものである。
【０００２】
【従来の技術】
従来、塗布具としては、図１１に示す如く、インキが充填されるインキ溜部１０２を有する塗布具本体１００内に弁１０３が内蔵され、該塗布具本体１００の先端部に保持されたペン先１０１を押し込むことにより、前記弁１０３を開放して塗布具本体１００内のインキを流出できるように構成されたものがある。
【０００３】
しかも、前記ペン先１０１と塗布具本体１００との間には、インキの流出を安定させると共にインキの漏れを防止するためのインキ吸蔵体１０５が内蔵されている。
【０００４】
上記塗布具を使用する場合には、紙等にペン先１０１を押圧して塗布具本体１００内に数回押し込むことにより、該ペン先１０１で弁１０３を開放させて塗布具本体１００内のインキをペン先１０１及びインキ吸蔵体１０５に吸収させ、ペン先１０１からインキ流出させている。例えば、従来ではペン先１０１を約５０回プッシュしているのが現状である。
【０００５】
【発明が解決しようとする課題】
前記従来の塗布具は、ペン先１０１のプッシュ時に、塗布具本体１００内のインキが不用意に漏出するのを防止する必要があることから、インキ吸蔵体１０５により、該インキ吸蔵体１０５が接触する塗布具本体１００及びペン先１０１とのそれぞれの間の液密性が高くなっている。
【０００６】
このため、使用時にインキをペン先１０１から流出させるには、ペン先１０１のプッシュ回数が必然的に多くなり、筆記開始までに時間を要する問題があった。
【０００７】
本発明は、従来技術の上記した問題点に鑑み、外部の空気が塗布具本体内に流入できるようにして、インキ漏れを防止しつつ、ペン先のプッシュ回数を可及的に減少させることができ、しかも、インキの流出量も多くすることができる塗布具を提供することを課題とする。
【０００８】
【課題を解決するための手段】
本発明が上記した課題を解決するために講じた技術的手段は、インキ等の液体が充填される塗布具本体内に弁が内蔵され、塗布具本体の先端部に保持されたペン先を押し込むことにより、前記弁を開放して塗布具本体内の液体を流出させるように構成され、しかも、ペン先と塗布具本体との間には、液体の流出を安定させると共に液体の漏れを防止するための液体吸蔵体が設けられた塗布具において、前記弁は弁本体と弁座を有し、弁座には弁孔の外側にインキが流入して溜まる空間を有し、前記塗布具本体は先栓を有し、前記先栓は先端に貫通孔が設けられ、該貫通孔には前記ペン先が出退できるように挿通され、先栓の内周面には断面積が０．２〜２ｍｍ2の溝がペン先に沿って形成され、その溝の一端は、前記インキが溜まる弁座内部に開口し、且つ、他端は先栓の貫通孔に開口し、前記溝によって塗布具本体の内外に連通する空気流通路が形成されていることにある。
【０００９】
尚ここで塗布具とは、ペン先からインキやのり等の液体をにじみださせる道具の総称であり、少なくとも文字を書くもの、線を書くもの、物品に色を塗るものを含む概念である。具体的な物品群としてはペン、ペイントマーカー、修正液、マニキュア、糊、クリーナー等を包含するものである。
【００１０】
【００１１】
【発明の実施の形態】
以下に本発明の具体的実施の形態について説明する。
【００１２】
第一実施の形態
図１及び図２において、１は本発明の塗布具を示し、塗布具１は、インキが充填されるインキ溜部２ａを有する容器２、先栓３、ペン先５、弁６及びキャップ７によって主構成される。尚、容器２及び先栓３により塗布具本体４が構成されている。以下、各部材の構成について説明する。
【００１３】
前記容器２は、端部が開口するようにアルミニウム、ステンレス、スチール等の深絞り成形、押出成形、しごき成形や、合成樹脂の射出成形やブロー成形、あるいは、ガラスの吹き込み成形等によって成形される。
【００１４】
前記弁６は、容器２及び先栓３に内蔵され、弁座８、弁枠９及び弁本体１０によって構成される。前記弁枠９は筒状を呈し、インキ溜部２内のインキが自由に流入できるように、容器２先端の開口部分に装着されている。該弁枠９内には、前記弁本体１０及びスプリング１４が内蔵され、弁本体１０はスプリング１４より、前記弁座８の弁孔１３を閉塞すべく前記弁座８に押圧される方向に付勢されている。弁本体１０の後端部１０ａは、前記弁枠９に形成されたガイド孔１７に摺動自在に挿通されている。
【００１５】
かかる弁本体１０を容器２のインキ溜部２ａ側に向かって押圧すると、弁本体１０はスプリング１４に抗して後退し、弁本体１０が弁座８を離れて弁孔１３が開放されるため、インキ溜部２ａ内のインキが、弁枠９を介して弁座８内に流れるようになっている。
【００１６】
前記先栓３は先端に貫通孔１９が設けら、該貫通孔１９には前記ペン先５が出退できるように、前記弁本体１０と同軸心状に挿通されている。尚、貫通孔１９には、ペン先５の中心を弁本体１０の中心に一致させると共に、先栓３とペン先５との間に通気孔を確保するための複数の突条（図示省略）が設けられている。
【００１７】
ペン先５は断面円形状を呈し且つその前後両端は凸状の球面を有するチップからなる。チップの種類としては、特に限定されるものではないが、例えば、毛細現象によりインキを先端からにじみ出す繊維束チップや、軸方向に微小な貫通孔或いは貫通溝（図示省略）を有するナイロンチップや、ポーラス（焼結体）からなるチップが挙げられる。また、ペン先５の前端部は先栓３から突出すると共に、後端は前記弁本体１０に当接しており、該ペン先５を押圧することにより、前記弁本体１０を後退させて弁開放を行なえる。尚、前記チップの後端の形状は、球面以外に平面形状、小径の突出部またはテーパー形状等でも良く、特に限定されるものではない。
【００１８】
前記ペン先５と先栓３との間の空間には、インキの流出を安定させると共にインキの漏出を防止すべく、リング状の連続気泡体よりなるインキ吸蔵体（液体吸蔵体）２０が設けられている。該インキ吸蔵体２０は、図２に示す如くペン先５の表面５ａと前記先栓３の内周面３ａとにそれぞれ密着しており、インキ吸蔵体２０が密着する先栓３とペン先５との間からは、インキが漏出しないようになっている。
【００１９】
２３は外部の空気を塗布具本体４内に供給するための空気流通路で、前記先栓３とインキ吸蔵体２０との間に設けられている。即ち、空気流通路２３は、先栓３の内周面３ａに溝２５をペン先５に沿って形成したもので、その溝２５の一端は、前記インキが溜まる弁座８内部に開口し、且つ、他端は先栓３の貫通孔１９に開口している。従って、塗布具本体４外部の空気は、該空気流通路２３を介して塗布具本体４内側に流入することが可能である。
【００２０】
尚、溝２５の断面形状は矩形状、円形状等の任意の形状が可能であり、その開口面積は、インキの流通が防止できる程度であれば良く、インキの粘性率により適宜設定されるものであるが、例えば開口面積が０．２〜２ｍｍ2 であるのが好ましい。
【００２１】
次に、本実施の形態の塗布具１の作用について説明する。本実施の形態の塗布具１を使用する場合には、先ず、キャップ７を外した後に、ペン先５を紙等に数回押しつける。このとき、ペン先５は容器２のインキ溜部２側に押圧されるため、弁本体１０は弁座８から離間し、弁孔１３を開放させる。
【００２２】
一方、塗布具本体４は、先栓３の貫通孔１９と、先栓３及びインキ吸蔵体２０間の空気流通路２３を介して内外連通されている。この結果、塗布具本体４外部の空気は、貫通孔１９、空気流通路２３を介して弁６の弁座８内に流入する。このペン先５のプッシュ時に、ペン先５が弁６を開放させると、容器２内のインキは、弁座８内に迅速に流入し、しかも、弁座８内に流入したインキは、ペン先５及びインキ吸蔵体２０に吸収される。
【００２３】
このとき、インキの吸収によりインキ吸蔵体２０と弁６との間が減圧となるが、空気流通路２３を介して塗布具本体４内に空気補給がスムースに行なわれるため、インキがペン先５及びインキ吸蔵体２０へ迅速にしみ込み、結果的にインキを出すためのペン先５のプッシュ回数が減少する。
【００２４】
また、筆記時にインキ吸蔵体２０のインキを消費するときにも、インキ吸蔵体２０の空気置換がスムースに行なわれるため、インキの流出性が安定し且つその流出状態は円滑である。
【００２５】
また、インキ吸蔵体２０に蓄積されたインキを使い切った際には、少ない回数のプッシュ（例えば１回のプッシュ）で再びインキ吸蔵体２０に多量のインキを迅速に吸収させることができる。具体的には、従来では、ペン先のプッシュ回数が約５０回必要であったが、空気流通路２３を設けることにより、プッシュ回数を約１０回に減少でき、しかも、インキ流出性能が約３０％向上することが確認できた。また、プッシュ一回当たりのインキの流出量が多いので、インキがかすれても、例えば１回のプッシュで再び筆記が可能となる。
【００２６】
尚、本第一実施の形態の前記空気流通路２３の個数は単体に限らず、先栓３の周方向に間隔を有して複数設けることも可能である。
【００２７】
しかも、空気流通路２３は先栓３の内周面３ａに溝を形成することにより構成したが、図３に示す如く、先栓３の内周面３ａに凸条２５ａを複数形成することにより、空気流通路２３を構成することも可能である。
【００２８】
図４に示す参考例の形態では、前記先栓３とインキ吸蔵体２０との間に空気流通路２３を形成したのは、前記第１実施の形態と同様であるが、インキ吸蔵体２０の外周面２０ａに溝２５（同図（イ）及び（ロ）参照）又は複数の凸条２５ａ（同図（ハ）参照）が形成されている。
【００２９】
図５及び図６は参考例の形態をそれぞれ示し、各形態は、前記ペン先５とインキ吸蔵体２０との間に空気流通路２３ａを形成したものである。即ち、図５に示す第３実施の形態において、ペン先５の表面５ａにはその長手方向の全長にわたって溝２５（同図（イ）及び（ロ）参照）又は凸条２５ａ（同図（ハ）参照）が形成されている。図６に示す第４実施の形態において、インキ吸蔵体２０の内周面２０ｂには、溝２５（同図（イ）及び（ロ）参照）又は複数の凸条２５ａ（同図（ハ）参照）が形成されている。
【００３０】
図７〜図１０は参考例の形態をそれぞれ示す。各形態は、前記先栓３とインキ吸蔵体２０との間に空気流通路２３を設け、しかも、ペン先５とインキ吸蔵体２０との間にも空気流通路２３ａをそれぞれ形成したものである。
【００３１】
図７に示す参考例の形態において、一方の空気流通路２３は、前記第１実施の形態と同様に先栓３の内周面３ａに溝２５を形成することにより構成される。他方の空気流通路２３ａは、前記第３実施の形態と同様に、ペン先５の表面５ａに溝２５を形成することにより構成される。
【００３２】
図８に示す参考例の形態において、一方の空気流通路２３は、先栓３の内周面３ａに溝２５を形成することにより構成し、他方の空気流通路２３ａは、インキ吸蔵体２０の内周面２０ｂに溝２５を形成することにより構成される。
【００３３】
図９に示す参考例の形態において、一方の空気流通路２３は、インキ吸蔵体２０の外周面２０ａに溝２５を形成することにより構成し、他方の空気流通路２３ａは、該インキ吸蔵体２０内周面２０ｂに溝２５を形成することにより構成される。
【００３４】
図１０に示す参考例の形態において、一方の空気流通路２３は、インキ吸蔵体２０の外周面２０ａに溝２５を形成することにより構成し、他方の空気流通路２３ａは、ペン先５の表面５ａに溝２５を形成することにより構成される。
【００３５】
尚、本発明は上記の実施の形態に限定されるものではなく、例えば第５実施の形態〜第８実施の形態において、空気流通路２３は先栓３等の周方向に複数設けたり、空気流通路２３を設けるために、先栓３等に溝２５に代えて凸部を形成できるのは無論である。
【００３６】
前記凸部又は溝（凹部）を複数設ける場合には、必ずしも、それぞれの高さ又は深さを同一にする必要なく、差異を設けることも可能である。
【００３７】
また、前記通気流通路２３は、直線以外に例えば螺旋状または湾曲状であっても良い。しかも、液体とは筆記用のインキに限定されるものではなく、修正液、マニキュア、粘度の高い糊、クリーナー等を包含する。
【００３８】
【発明の効果】
本発明の塗布具では、塗布具本体及び液体吸蔵体間と、液体吸蔵体及びペン先間との少なくとも一方には、塗布具本体の内外に連通する空気流通路が形成されているため、液体吸蔵体を使用して液体の流出を安定させることができると共に液体の漏れを防止しつつ、液体がでるまでのペン先のプッシュ回数を可及的に減少することが可能となる。
【００３９】
しかも、液体吸蔵体に蓄積されたインキを使い切った際には、少ない回数のプッシュで再びインキ吸蔵体に多量のインキを迅速に吸収させることができ、流出インキ量を増加できると共に筆記可能距離をのばすことが可能となる。
【図面の簡単な説明】
【図１】本発明の第１実施の形態を示す塗布具の断面図である。
【図２】（イ）は同塗布具本体の拡大断面正面図、（ロ）は要部断面図である。
【図３】同要部断面図である。
【図４】参考例の形態を示し、（イ）は同塗布具本体の拡大断面正面図、（ロ）及び（ハ）は要部断面図である。
【図５】参考例の形態を示し、（イ）は同塗布具本体の拡大断面正面図、（ロ）及び（ハ）は要部断面図である。
【図６】参考例の形態を示し、（イ）は同塗布具本体の拡大断面正面図、（ロ）及び（ハ）は要部断面図である。
【図７】参考例の形態を示し、（イ）は同塗布具本体の拡大断面正面図、（ロ）は要部断面図である。
【図８】参考例の形態を示し、（イ）は同塗布具本体の拡大断面正面図、（ロ）は要部断面図である。
【図９】参考例の形態を示し、（イ）は同塗布具本体の拡大断面正面図、（ロ）は要部断面図である。
【図１０】参考例の形態を示し、（イ）は同塗布具本体の拡大断面正面図、（ロ）は要部断面図である。
【図１１】従来例を示す塗布具の断面図である。
【符号の説明】
３    先栓
４    塗布具本体
５    ペン先
６    弁
２０  インキ吸蔵体（液体吸蔵体）
２３  空気流通路
２５  溝
２５ａ  凸条
【図１】
0003926008.tif 000002
【図２】
0003926008.tif 000003
【図３】
0003926008.tif 000004
【図４】
0003926008.tif 000005
【図５】
0003926008.tif 000006
【図６】
0003926008.tif 000007
【図７】
0003926008.tif 000008
【図８】
0003926008.tif 000009
【図９】
0003926008.tif 000010
【図１０】
0003926008.tif 000011
【図１１】
0003926008.tif 000012